(57)【要約】      （修正有）【課題】爪状部に市販の爪楊枝を使用することにより、コスト面で安価となり、かつ、爪状部を何度でも交換できる上、携帯にもコンパクトとなるなど利便性の高いフォークを提供すること。【解決手段】手に持つ把持体と、該把持体に形成される爪状部とから成るフォークにおいて、前記把持体１が、爪状部の形成される一端面に所要数、所要断面の小孔３を開口して成り、該爪状部が該小孔３に着脱自在に嵌着される市販の爪楊枝２から成る。このほか、把持体１が二股状に形成され、二股基部に弾性変形部が配設されたものや、上挟み片と下挟み片の両者に弾発力を介在させて構成されるクリップから成るものなどであり、前記小孔３が長さ方向でその周面を上挟み片及び／又は下挟み片において開口して形成される。また、前記把持体１には、爪楊枝２を収納する爪楊枝収納部４が配設されて、携帯上のより一層の利便性が図られる。【選択図】図１
0003141099.tif 000002
【実用新案登録請求の範囲】
【請求項１】
手に持つ把持体と、該把持体に形成される爪状部とから成るフォークにおいて、
前記把持体が、爪状部の形成される一端面に所要数、所要断面の小孔を開口して成り、該爪状部が該小孔に着脱自在に嵌着される市販の爪楊枝から成るフォーク。
【請求項２】
前記把持体が二股状に形成され、二股基部に弾性変形部が配設されて成る請求項１記載のフォーク。
【請求項３】
前記把持体が、上挟み片と下挟み片の両者に弾発力を介在させて構成されるクリップから成り、前記小孔が長さ方向でその周面を上挟み片及び／又は下挟み片において開口して形成されて成る請求項１記載のフォーク。
【請求項４】
前記把持体には、爪楊枝を収納する爪楊枝収納部が配設されて成る請求項１又は２記載のフォーク。
【考案の詳細な説明】
【技術分野】
【０００１】  本考案は、食卓用器具としてのフォークに関する。
【背景技術】
【０００２】  掴み部に設けた爪状部を爪楊枝として分離できるフォークとしては、特開２００７−２９１５８号公報（特許文献１）に開示されているが、該特許文献１に開示された技術は、掴み部１４に平行に設けた２本の棒状の爪状部１２を切込溝１６で折り曲げて分離し、この爪状部１２を爪楊枝とするものであり、分離後はフォークとして使用できず、しかも、市販の爪楊枝を掴み部１４に着脱自在に接合できるものでもないから、コスト面でも利便性の点でも改良視点を内在するものである。
【特許文献１】特開２００７−２９１５８号公報
【考案の開示】
【考案が解決しようとする課題】
【０００３】  本考案は、上記に鑑みて、市販の爪楊枝を使用することにより、コスト面で安価となり、かつ、爪状部を何度でも交換できる上、携帯にもコンパクトとなるなど利便性の高いフォークを提供するものである。
【課題を解決するための手段】
【０００４】  本考案の請求項１に記載したフォークは、手に持つ把持体と、該把持体に形成される爪状部とから成るフォークにおいて、
前記把持体が、爪状部の形成される一端面に所要数、所要断面の小孔を開口して成り、該爪状部が該小孔に着脱自在に嵌着される市販の爪楊枝から成る。
また、本考案の請求項２に記載したフォークは、請求項１に記載したフォークにおいて、前記把持体が二股状に形成され、二股基部に弾性変形部が配設されて成る。
また、本考案の請求項３に記載したフォークは、請求項１に記載したフォークにおいて、前記把持体が、上挟み片と下挟み片の両者に弾発力を介在させて構成されるクリップから成り、前記小孔が長さ方向でその周面を上挟み片及び／又は下挟み片において開口して形成されて成る。
さらに、本考案の請求項４に記載したフォークは、請求項１又は２に記載したフォークにおいて、前記把持体には、爪楊枝を収納する爪楊枝収納部が配設されて成る。
【考案の効果】
【０００５】  本考案のフォークによれば、把持体に対して市販の爪楊枝を着脱自在に接合できるから、コスト面では安価となり、爪状部の汚れや折損においては、簡単に交換できるから経済的であり、しかも、把持体を二股状に形成すれば食品の突き刺しのみならず、掴むこともできるものであり、さらには、把持体に爪楊枝収納部を設けたものでは、常に爪楊枝が用意されるから携帯にはより一層便利であるなど、利便性に優れたものである。また、小孔より小径の小径孔やスリットを小孔に連通して設けたものでは、該小孔内の爪楊枝の折損残部を該小径孔やスリットを介して押し出し排除できるのである。このほか、何処にでもある爪楊枝を利用して手（特に指）の不自由な方の食事を手軽に援助できる効果をも奏する。
【考案を実施するための最良の形態】
【０００６】  把持体に開口される小孔と爪楊枝との関係は、相互に着脱自在であるとともに、使用時には爪楊枝が小孔から脱落しないことが要されるから、爪楊枝が該小孔に着脱自在に嵌着されるとは、爪楊枝が小孔（丸孔や角孔など）に対して、直接に持着状態で嵌着されるものから、小孔に嵌着されるスリーブやアダプタなどの嵌着体を介して、該嵌着体に形成される嵌着孔（丸孔や角孔）に間接的に持着状態で嵌着されるものなどであり、このほか、小孔の底部に粘着体を設けて、緩い嵌着状態の爪楊枝が小孔内から脱落しないように保持したり、或は、把持体に欠切されるスリットを小孔に連通して、小孔への爪楊枝挿入時の弾性変形による反力によって小孔内へ爪楊枝を保持するなどである。また、把持体に設けられる爪楊枝収納部は、ネジ部で開閉される棒状のキャップを有するものから、上下に開閉される開閉蓋を有するものなどであり、さらに、上挟み片と下挟み片の両者に弾発力を介在させて構成されるクリップ状の把持体における小孔は、上挟み片と下挟み片の両者に渡って開口されるものから、何れか一方において、長さ方向に沿ってその周面を開口して形成されるものなどで提供される。
【実施例】
【０００７】  本考案のフォークＡを実施例により説明すると、図１に示すように、合成樹脂製の手に持つことのできる太さ（直径１５ｍｍの円形、又は長径１５ｍｍ、短径８ｍｍの断面長円形）で長さ６０乃至１００ｍｍの棒状の把持体１の一端面には、上下二段に市販の円形断面の爪楊枝２（直径略２ｍｍ）を持着できる丸孔の小孔３を所要深さ（３０ｍｍ）で配設して成り、該把持体１の小孔３にそれぞれ爪楊枝２を着脱自在に嵌着してフォークＡが成形される。【０００８】  このようにして成るフォークＡは、把持体１より突出する爪状部としての一対の爪楊枝２を突き刺して使用されるが、汚れたり折れたりしても爪楊枝２はどこの家庭でも、また、多くの食卓上で使用されているから、簡単に交換できるため極めて利便性の高いものである。
また、使い方としては、突き刺して使用するだけでなく、２本の爪楊枝２、２間に焼き鳥の串を挿通すれば、簡単に爪楊枝２で具を押し出すことができ、口の周りや手を汚すことなくスマートに該具を食することにも利用できるのである。【０００９】  次に、図２に示した把持体１について説明すると、このものは爪楊枝２を６乃至８本収納できる爪楊枝収納部４を形成したもので、一端（右端）に前記小孔３を上下に２個配設し、他端（左端）にネジ軸５ａを螺合する棒状のキャップ５を着脱自在に配設したものであり、各小孔３に市販の爪楊枝２が嵌着（図外）されてフォークＡとして使用される。
したがって、フォークＡとして使用するときは、キャップ５を外して爪楊枝収納部４から爪楊枝２を取り出し、各小孔３に爪楊枝２を嵌着すれば即フォークＡとなり、携帯用としては爪状部を突出することなく、コンパクトにかつ安全に持ち運びできるから、より一層利便性の高いものとなる。さらに、小孔３の開口端には図７に示すように、爪楊枝２を挿し易くするために、僅かな面取り部６を設けたり、小孔３の底面より爪楊枝収納部４に連通して該小孔３より小径の小径孔７を設けて、小孔３の内部で折れたり破断した場合の爪楊枝２の頭部（折損残部）を押し出しできるようにすることも良しとされる。このほか、爪楊枝収納部４の空間を利用したり、把持体１に外嵌する別途の部材を介するなどで、発光ダイオード（ＬＥＤ）で照明する照明部（図外）を付加し、アウトドア−ライフにおける夜間での使用に好適なものとすることや、小孔３から順に次から次へと爪楊枝２を心太突き（ところてんつき）式に繰り出しできるようにすることなどは、本考案から容易に想起される事項である。【００１０】  また、図３に示したフォークＢは、合成樹脂製の把持体１が箱状（高さ１５ｍｍ、幅２５ｍｍ、長さ１００ｍｍ）に形成されたもので、図４に示すように、下方の把持体本体１ａに対して上方の開閉蓋１ｂが右端の接合部１ｃで開閉自在に接合され、把持体本体１ａに凹設された爪楊枝収納部４には爪楊枝２が収納され、開閉蓋１ｂは長手方向中央で垂下する係止舌片１ｄの内面が把持体本体１ａの側方凹部１ｅの外面に係止されるもので、爪楊枝２が把持体本体１ａの右端で横方向に２個配設された小孔３に嵌着されてフォークＢとして使用されるのである。
このようにして成るフォークＢも、爪状部として使用された爪楊枝２は使い捨てられ、簡単に衛生管理される上、携帯にも便利な状態（爪楊枝２の抜き取られた状態）で食卓上に保管されるのである。なお、このフォークＢにおいても、前記の面取り部６や小径孔７を設けて提供され得ることは勿論である。【００１１】  次の図５に示すフォークＣについて説明すると、このものは把持体１が上挟み片１ｆと下挟み片１ｇの両者に弾発力を介在させて構成されるクリップから成り、小孔３は分図（ｂ）に示すように、下挟み片１ｇの上面からその長さ方向に沿って直径幅（爪楊枝２の直径と同等）で、かつ該直径寸法より僅かに浅く、底面を円弧面とした凹溝１ｈを所要間隔で対設したもので代用され、各凹溝１ｈに嵌着された爪楊枝２は上挟み片１ｆによって所定の弾発力で押さえ付けられてフォークＣとして使用されるものである。
このほか、小孔３の代用については、上記したものと逆に上挟み片１ｆに前記要領で凹溝１ｈを形成するものから、上挟み片１ｆと下挟み片１ｇの両者にそれぞれ凹溝１ｈを形成（僅かな締め代を有して）するなどである。【００１２】  さらに、図６に示すフォークＤについて説明すると、このものは合成樹脂製の把持体１が二股状に形成されたもので、左方の二股基部は弾性を有する弾性変形部１ｉであり、右方の各棒体１ｊは上下方向に長円形であるとともに、上下に配設された小孔３には、その中心を通る縦軸を中心とする所要幅のスリット１ｋが連通されて軸心方向に延設され、両棒体１ｊの各小孔３に爪楊枝２が嵌着されてフォークＤとして使用されるのである。
このフォークＤにおける小孔３は、前記面取り部６が形成されるほか、僅かなテーパ状に形成されることもあり、この場合には、爪楊枝２が嵌着され易くなるとともに、押し込むにつれてスリット１ｋの弾性変形による反力で爪楊枝２を確実に抜け止めして挟持できる。なお、該スリット１ｋにカッターの刃先を挿し込むなどで、小孔３内に残留する爪楊枝２の折損残部が押し出されるものであるから、この点で、スリット１ｋはフォークＡにおける小孔３、３にも施されることがあり得る。
また、このフォークＤは爪楊枝２を突き刺して使用されるほか、弾性変形部１ｉの変形によってピンセットのように摘むこともできるのである。なお、フォークＤにおいても、両棒体１ｊ或いは何れか一方において、前記したような爪楊枝収納部４を配設できることは勿論である。
以上のように、本考案のフォークは種々なる形態で提供されるが、さらに、細部においては、筆記具のキャップに設けられるクリップを把持体１設けたり、吊るして保持するための吊下手段（吊り孔）を把持体１設けたり、キャラクターグッズを把持体１に着脱自在に設けるなど、各様の付帯機能が付加されて提供されるものでもある。なお、本考案における市販の爪楊枝とは、現時点の市場で大量に提供されている直径略２ｍｍの何処でも入手できる爪楊枝のことではあるが、市販されていなくても市販の爪楊枝と互換性があれば良しとするものであり、その場合の小孔３の所要断面とは、その断面形状の如何を問わず爪楊枝が脱落しない状態で持着される断面であれば良い。したがって、爪楊枝２と小孔３との関係では、爪楊枝２と小孔３とが直接に対応するものでなくても、図８に示すように、フォークＡの例で示せば、爪楊枝２の直径より大径の小孔３に嵌入されるスリーブやアダプタなどの嵌着体８を介して、該嵌着体８に開口される嵌着孔９に爪楊枝２を嵌合できるものであれば良いことは勿論である。
【産業上の利用可能性】
【００１３】  本考案のフォークによれば、把持体は合成樹脂製の射出成形品で提供されるのがコスト的に有利であり、この点で射出成形業界に利用され、爪状部には市販の爪楊枝が使用されるから、爪楊枝製造業界の活性化に貢献できるものである。
【図面の簡単な説明】
【００１４】
【図１】本考案に係るフォークＡの分解斜視図。
【図２】フォークＡにおける把持体１の他の実施態様を示す縦断面図。
【図３】本考案に係るフォークＢの斜視図。
【図４】図３の中央縦断面図。
【図５】本考案に係るフォークＣの説明図で、（ａ）はその正面図、（ｂ）は（ａ）の右側面図。
【図６】本考案に係るフォークＤの斜視図。
【図７】フォークＡで示す小孔３の他の開口状態を示す部分縦断面図。
【図８】フォークＡの小孔３と爪楊枝２の関係の他の実施態様を示す部分縦断面図。
【符号の説明】
【００１５】１  把持体
１ａ  把持体本体
１ｂ  開閉蓋
１ｃ  接合部
１ｄ  垂下舌片
１ｅ  側方凹部
１ｆ  上挟み片
１ｇ  下挟み片
１ｈ  凹溝
１ｉ  弾性変形部
１ｊ  棒体
１ｋ  スリット
２  爪楊枝
３  小孔
４  爪楊枝収納部
５  キャップ
５ａ  ネジ軸
６  面取り部
７  小径孔
８  嵌着体
９  嵌着孔
Ａ乃至Ｄ  フォーク
【図１】
0003141099.tif 000003
【図２】
0003141099.tif 000004
【図３】
0003141099.tif 000005
【図４】
0003141099.tif 000006
【図５】
0003141099.tif 000007
【図６】
0003141099.tif 000008
【図７】
0003141099.tif 000009
【図８】
0003141099.tif 000010